(57)【要約】【課題】閉鎖空間内に存在する人に対して有利な作用を適切に発揮させ得る技術を提供する。【解決手段】加圧装置は、閉鎖空間内に空気を供給する空気供給装置と、制御装置と、を備えている。制御装置は、空気供給装置を動作させて内部気圧を上昇させ、内部気圧を目標気圧に維持するための加圧運転を開始するための開始条件が満たされる場合に、加圧運転を開始するとともに、加圧運転が開始される際における内部気圧を基準として、加圧運転の設定を決定し、空気供給装置による閉鎖空間への空気の供給を実行する。【選択図】図３
2020103438.tif 000002
【特許請求の範囲】
【請求項１】
閉鎖空間の内部気圧を上昇させ、前記内部気圧を目標気圧に維持するための加圧装置であって、
前記閉鎖空間内に空気を供給する空気供給装置と、
制御装置と、を備えており、
前記制御装置は、
前記空気供給装置を動作させて前記内部気圧を上昇させ、前記内部気圧を前記目標気圧に維持するための加圧運転を開始するための開始条件が満たされる場合に、前記加圧運転を開始するとともに、
前記加圧運転が開始される際における前記内部気圧を基準として、前記加圧運転の設定を決定し、前記空気供給装置による前記閉鎖空間への空気の供給を実行する、
加圧装置。
【請求項２】
前記制御装置は、前記加圧運転の開始後、前記内部気圧が前記目標気圧に到達した後で、前記閉鎖空間の外部気圧が前記内部気圧と等しくなる場合に、前記加圧運転を終了する、請求項１に記載の加圧装置。
【請求項３】
前記空気供給装置は、電力を消費して前記閉鎖空間内に空気を供給する装置であり、
前記制御装置は、前記加圧運転の開始後において、前記空気供給装置の消費電力が閾値電力以下である場合に、前記外部気圧が前記内部気圧と等しいと判断する、請求項２に記載の加圧装置。
【請求項４】
単位時間当たりの前記内部気圧の減少量が閾値量以上である場合に、前記開始条件が満たされる、
請求項１から３のいずれか一項に記載の加圧装置。
【請求項５】
前記閉鎖空間内に存在する人の体調に関係する数値を測定する体調測定装置をさらに備えており、
前記制御装置は、前記体調測定装置によって測定される前記数値に応じて、前記加圧運転を実行する、
請求項１に記載の加圧装置。
【発明の詳細な説明】
【技術分野】
【０００１】
本明細書に開示の技術は、閉鎖空間の内部気圧を上昇させ、内部気圧を目標気圧に維持するための加圧装置に関する。
【背景技術】
【０００２】
特許文献１には、閉鎖空間の内部気圧を上昇させ、内部気圧を目標気圧に維持するための加圧装置が開示されている。加圧装置は、閉鎖空間内に空気を供給する空気供給装置と、制御装置とを備えている。制御装置は、所定の開始条件が満たされる場合に、空気供給装置を動作させて内部気圧を上昇させ、内部気圧を目標気圧に維持するための加圧運転を開始する。その際、制御装置は、加圧運転が開始される際の閉鎖空間の外部気圧を取得し、内部気圧が、取得された外部気圧の１．０１〜１．０３倍になるように、空気供給装置による閉鎖空間への空気の供給を実行する。
【０００３】
特許文献１の技術では、上記のように内部気圧を上昇させ、内部気圧が外部気圧の１．０１〜１．０３倍になるように制御することによって、閉鎖空間内に存在する人に対して、慢性痛及び気分障害の解消、健康の増進等の有利な作用を及ぼすことを図っている。
【先行技術文献】
【特許文献】
【０００４】
【特許文献１】特開２０１８−１１７２９号公報
【発明の概要】
【発明が解決しようとする課題】
【０００５】
加圧運転が開始される際において、閉鎖空間の内部気圧と外部気圧とが異なる場合がある。例えば、閉鎖空間において２４時間換気システムが常時作動している場合等には、加圧運転が開始される際における閉鎖空間の内部気圧は外部気圧より低くなる場合がある。また例えば、加圧運転が行われる前から閉鎖空間内がある程度高圧に保たれている場合等には、加圧運転が開始される際における閉鎖空間の内部気圧が外部気圧より高くなる場合がある。
【０００６】
しかしながら、特許文献１の技術では、制御装置は、加圧運転が開始される際の閉鎖空間の外部気圧を基準として、内部気圧が、その外部気圧の１．０１〜１．０３倍になるように制御を行うに過ぎない。そのため、加圧運転が開始される際において、閉鎖空間の内部気圧と外部気圧とが異なっていた場合、仮に上記の制御が行われたとしても、目標気圧、昇圧速度（即ち、内部気圧を目標気圧まで昇圧させるために要する時間）、加圧時間（即ち、加圧を開始してから加圧を自動終了するまでの時間）等が、閉鎖空間内に存在する人にとって最適でない場合があり得る。その場合、仮に上記の制御が行われたとしても、閉鎖空間内に存在する人に対して、慢性痛や気分障害の解消、健康の増進等の有利な作用が適切に発揮されないおそれがある。
【０００７】
本明細書では、閉鎖空間内に存在する人に対して有利な作用を適切に発揮させ得る技術を提供する。
【課題を解決するための手段】
【０００８】
本明細書では、閉鎖空間の内部気圧を上昇させ、前記内部気圧を目標気圧に維持するための加圧装置を開示する。前記加圧装置は、前記閉鎖空間内に空気を供給する空気供給装置と、制御装置と、を備えている。前記制御装置は、前記空気供給装置を動作させて前記内部気圧を上昇させ、前記内部気圧を前記目標気圧に維持するための加圧運転を開始するための開始条件が満たされる場合に、前記加圧運転を開始するとともに、前記加圧運転が開始される際における前記内部気圧を基準として、前記加圧運転の設定を決定し、前記空気供給装置による前記閉鎖空間への空気の供給を実行する。
【０００９】
上記の構成によると、制御装置は、加圧運転が開始される際における内部気圧を基準として、加圧運転の設定を決定し、空気供給装置による閉鎖空間への空気の供給を実行することができる。具体的には、例えば、制御装置は、加圧運転が開始される際における内部気圧を基準として目標気圧を定めたり、昇圧速度（即ち、内部気圧を目標気圧まで昇圧させるために要する時間）を定めたり、加圧時間（即ち、加圧運転を開始してから加圧を自動終了するまでの時間）を定めたりした上で、空気供給装置による閉鎖空間への空気の供給を実行することができる。そのため、仮に、加圧運転が開始される際において閉鎖空間の内部気圧と外部気圧とが異なっていた場合であっても、加圧後の閉鎖空間の内部気圧を、閉鎖空間内に存在する人にとって、慢性痛及び気分障害の解消、健康の増進等の有利な作用を適切に発揮させるための気圧に適切に調節し得る。従って、上記の加圧装置によると、閉鎖空間内に存在する人に対して有利な作用を適切に発揮させ得る。
【００１０】
前記制御装置は、前記加圧運転の開始後、前記内部気圧が前記目標気圧に到達した後で、前記閉鎖空間の外部気圧が前記内部気圧と等しくなる場合に、前記加圧運転を終了してもよい。
【００１１】
加圧運転の開始後、内部気圧が目標気圧に到達した後で、外部気圧が変動する等して内部気圧と外部気圧とが等しくなる場合がある。このような状況が生じた場合、空気供給装置による閉鎖空間内への空気の供給を継続しなくても、内部気圧を目標気圧に維持することができる。上記の構成によると、このような状況において、空気供給装置を無駄に動作させることなく停止させることができる。無駄な加圧運転が行われることを抑制することができる。
【００１２】
前記空気供給装置は、電力を消費して前記閉鎖空間内に空気を供給する装置であってもよい。前記制御装置は、前記加圧運転の開始後において、前記空気供給装置の消費電力が閾値電力以下である場合に、前記外部気圧が前記内部気圧と等しいと判断してもよい。
【００１３】
空気供給装置が電力を消費して閉鎖空間内に空気を供給する装置である場合、外部気圧が変動する等して内部気圧と外部気圧とが等しくなると、空気を供給する量が少なくなることから、内部気圧と外部気圧とが異なっている場合に比べて消費電力が低下する。上記の構成によると、閾値電力を適切な値に設定しておくことにより、制御装置は、外部気圧を検出しなくても、内部気圧と外部気圧とが等しくなったことを適切に判断することができる。従って、上記の構成によると、加圧装置に、外部気圧を検出するための検出手段を別途設けていなくても、無駄な加圧運転が行われることを抑制することができる。
【００１４】
単位時間当たりの前記内部気圧の減少量が閾値量以上である場合に、前記開始条件が満たされるようにしてもよい。
【００１５】
慢性痛や気分障害を患う人にとって、自身が存在する空間の気圧が所定気圧以下まで低下すると、心身に不利な影響が及ぶ可能性が高くなる。特に、気圧の急激な低下は、そのような人の心身に不利な影響を及ぼし易い。上記の構成によると、制御装置は、加圧運転が行われていない状況において、単位時間当たりの内部気圧の減少量（減少率と言い換えてもよい）が閾値量以上である場合に、加圧運転を開始させることができる。閾値量を適切な値に設定しておくことにより、閉鎖空間内に存在する人の心身に不利な影響が及び始める前に加圧運転を開始させ得る。
【００１６】
前記閉鎖空間内に存在する人の体調に関係する数値を測定する体調測定装置をさらに備えてもよい。前記制御装置は、前記体調測定装置によって測定される前記数値に応じて、前記加圧運転を実行してもよい。
【００１７】
この構成によると、制御装置は、閉鎖空間内に存在する人の体調に関係する数値（例えば、心拍数、体温、発汗量、自律神経バランス値等）に応じて、加圧運転を実行することができる。具体的には、例えば、制御装置は、閉鎖空間内に存在する人の体調に関係する数値に応じて、加圧運転の開始及び終了のタイミング、加圧運転の際の目標気圧、昇圧速度、加圧時間等を決定した上で、決定内容に従って加圧運転を実行することができる。上記の構成によると、閉鎖空間内に存在する人の体調に応じた適切な加圧運転を実行し得る。
【図面の簡単な説明】
【００１８】
【図１】第１実施例の加圧装置２の概要を示す図。
【図２】加圧装置２の制御系統の構成を示すブロック図。
【図３】第１実施例の加圧制御処理を示すフローチャート。
【図４】第２実施例の加圧制御処理を示すフローチャート。
【図５】第３実施例の加圧制御処理を示すフローチャート。
【図６】第４実施例の加圧制御処理を示すフローチャート。
【図７】第５実施例の加圧装置２０２の概要を示す図。
【発明を実施するための形態】
【００１９】
（第１実施例）
（加圧装置の構成；図１、図２）
図１に示すように、本実施例の加圧装置２は、建物４に設置されて用いられる。
【００２０】
本実施例では、加圧装置２が設置される建物４は、住宅であり複数の部屋５、６、７を備えている。部屋５〜７は、扉及び窓が閉鎖されることによって閉鎖空間を形成する。部屋５は浴室、部屋６はリビング、部屋７は寝室である。変形例では、部屋５〜７はいずれも他の用途のために用いられる部屋であってもよい。
【００２１】
建物４には２４時間換気システム１００が備えられている。２４時間換気システム１００は、排気管３０、３０ａ、３０ｂを介して、部屋５〜７内の空気を常時建物４の外に排気し、室内の換気を促進するシステムである。本実施例で用いられる２４時間換気システム１００は、公知の換気システムであるため、詳しい内部構造の説明は省略する。排気管３０は、一端が部屋７と連通し、他端が加圧ユニット１０（後述）及び２４時間換気システム１００を通過して建物４の外側に配置される。排気管３０ａは、一端が部屋６と連通し、他端が排気管３０に連通するように配置される。排気管３０ｂは、一端が部屋５と連通し、他端が２４時間換気システム１００内で排気管３０に連通するように配置される。
【００２２】
本実施例の加圧装置２は、上記の建物４の部屋７（即ち寝室）の内部気圧を上昇させ、内部気圧を目標気圧に維持するための装置である。即ち、本実施例では、部屋７が加圧装置２による加圧対象の閉鎖空間である。加圧装置２は、部屋７の外に設けられる加圧ユニット１０と、加圧ユニット１０から部屋７内に空気を供給するための給気管４０と、部屋７の中に設けられる室内リモコン５０とを備える。なお図１では部屋７の中にバイタルセンサ８０がさらに備えられている様子が図示されているが、本実施例では加圧装置２はバイタルセンサ８０を備えていない。バイタルセンサ８０については後述の第４実施例で言及する。
【００２３】
給気管４０は、一端が建物４の外部に配置され、他端が加圧ユニット１０を通過して部屋７と連通して設けられている。
【００２４】
本実施例の加圧ユニット１０は、上記の給気管４０を介して部屋７の中に空気を供給し、部屋７の内部気圧を上昇させるためのユニットである。図１に示すように、加圧ユニット１０は、制御部１２と、メモリ１４と、空気供給装置１６と、ダンパ１８と、外部気圧センサ２０と、通信インターフェース２２と、熱交換器２４とを備えている。以下ではインターフェースのことを「Ｉ／Ｆ」と記載する。
【００２５】
制御部１２は、メモリ１４に記憶されているプログラムに従って、後述の加圧制御処理（図３参照）を含む様々な処理を実行する。また、制御部１２は、メモリ１４、空気供給装置１６、ダンパ１８、外部気圧センサ２０、及び、通信Ｉ／Ｆ２２と電気的に接続されており、これらの各要素の動作を制御することができる。メモリ１４は、ＲＯＭ、ＲＡＭ、ハードディスク等によって構成される。メモリ１４は、様々なプログラムを記憶している。また、メモリ１４は、制御部１２が実行する処理に伴って取得される様々な情報を記憶する領域も有している。
【００２６】
空気供給装置１６は、電力を消費して駆動することによって空気を供給する装置である。本実施例では空気供給装置１６はファンである。空気供給装置１６は、加圧ユニット１０内を通過する給気管４０に介装されている。空気供給装置１６が駆動すると、建物４の外から吸気された空気が、給気管４０を通って、部屋７内に供給される。
【００２７】
ダンパ１８は、部屋７内の空気を排気する排気管３０を開閉するための開閉弁である。ダンパ１８は、加圧ユニット１０内を通過する排気管３０に介装されている。ダンパ１８の開度を調整することにより、部屋７から排気管３０を介して排出される空気の量を調整することができる。なお、ダンパ１８は、排気管３０のうち、排気管３０ａ、３０ｂよりも上流側の範囲に介装されているため、ダンパ１８の開度が変わることによって他の部屋５、６の排気量には影響は出ない。
【００２８】
外部気圧センサ２０は、加圧対象の部屋７の外側の気圧（以下では外部気圧と呼ぶ）を検出するためのセンサである。
【００２９】
通信Ｉ／Ｆ２２は、室内リモコン５０等の外部機器と通信を行うためのＩ／Ｆである。図１、図２の例では、通信Ｉ／Ｆ２２は、有線通信Ｉ／Ｆであり、室内リモコン５０の通信Ｉ／Ｆ６２（後述）と有線接続されているが、変形例では、通信Ｉ／Ｆ２２は、室内リモコン５０と無線通信を行うための無線通信Ｉ／Ｆであってもよい。また、通信Ｉ／Ｆ２２は、有線通信Ｉ／Ｆと無線通信Ｉ／Ｆを両方備えていてもよい。
【００３０】
熱交換器２４は、給気管４０内を通過する空気（即ち、建物４の外から部屋７内に供給される空気）と、排気管３０内を通過する空気（即ち、部屋７から建物４の外に排気される空気）との間で熱交換を行うための器具である。図１に示すように、熱交換器２４内では、給気管４０と排気管３０とが近接されて配置されている。熱交換器２４を備えることにより、気温が低い時期に建物４外から部屋７に供給される空気を、暖房中の部屋７からの排気で予め加温すること、及び、気温が高い時期に建物４外から部屋７に供給される空気を、冷房中の部屋７からの排気で予め冷却することが可能になる。
【００３１】
本実施例の室内リモコン５０は、部屋７内に存在する利用者Ｕが、加圧装置２に関する各種操作（例えば、開始指示、終了指示等）を入力するための入力装置である。図２に示すように、室内リモコン５０は、表示部５２と、操作部５４と、内部気圧センサ５６と、制御部５８と、メモリ６０と、通信Ｉ／Ｆ６２とを備えている。
【００３２】
表示部５２は、様々な情報を表示するためのディスプレイである。操作部５４は、複数個のボタンを備える。部屋７内の利用者Ｕは、操作部５４を操作することによって様々な指示（例えば、開始指示、終了指示等）を入力することができる。内部気圧センサ５６は、部屋７の内部気圧を検出するためのセンサである。
【００３３】
制御部５８は、メモリ６０に記憶されているプログラムに従って、様々な処理を実行する。メモリ６０は、ＲＯＭ、ＲＡＭ、ハードディスク等によって構成される。メモリ６０は、様々なプログラムを記憶している。また、メモリ６０は、制御部５８が実行する処理に伴って取得される様々な情報を記憶する領域も有している。
【００３４】
通信Ｉ／Ｆ６２は、加圧ユニット１０と通信を行うためのＩ／Ｆである。図１、図２の例では、通信Ｉ／Ｆ６２は、有線通信Ｉ／Ｆである。変形例では、通信Ｉ／Ｆ６２は、加圧ユニット１０と無線通信を行うための無線通信Ｉ／Ｆであってもよい。また、通信Ｉ／Ｆ６２は、有線通信Ｉ／Ｆと無線通信Ｉ／Ｆを両方備えていてもよい。
【００３５】
（加圧制御処理；図３）
続いて、図３を参照して、本実施例の加圧装置２において、加圧ユニット１０の制御部１２が実行する加圧制御処理の内容を説明する。加圧制御処理は、部屋７に空気を供給して内部気圧を上昇させ、内部気圧を目標気圧に維持する加圧運転の実行を制御するための処理である。加圧ユニット１０及び室内リモコン５０の電源がオンされると、制御部１２は、図３の加圧制御処理を開始する。図３の加圧制御処理が開始された時点では、部屋７には空気が供給されておらず、部屋７内は加圧されていない。そのため、この時点では、内部気圧は、２４時間換気システム１００による排気の影響で、外部気圧に比べてやや低くなっている。
【００３６】
Ｓ１０では、制御部１２は、室内リモコン５０に開始指示が入力されることを監視する。加圧運転が実行されていない間に、部屋７内に存在する利用者Ｕは、室内リモコン５０の操作部５４を操作して、加圧運転を開始するための開始指示を入力することができる。その場合、制御部１２は、通信Ｉ／Ｆ２２を介して、室内リモコン５０に開始指示が入力されたことを検出し、Ｓ１０でＹＥＳと判断してＳ１２に進む。
【００３７】
Ｓ１２では、制御部１２は、内部気圧センサ５６が検出するこの時点の内部気圧の値を取得する。なお、上記の通り、本実施例では、２４時間換気システム１００による排気の影響で、この時点の内部気圧は、外部気圧より低くなっている場合が多い。
【００３８】
続くＳ１４では、制御部１２は、Ｓ１２で取得された内部気圧を基準として、加圧運転を実行する際の設定を決定する。具体的には、制御部１２は、目標気圧、昇圧速度、加圧時間を決定する。目標気圧は、加圧による内部気圧の目標値である。目標気圧の値は、例えば、Ｓ１２で取得された内部気圧の値の１．０１倍〜１．０３倍の値に定めることができる。これに限られず、変形例では、目標気圧は、内部気圧に所定値を加えた値に定めてもよい。昇圧速度は、内部気圧を目標気圧まで昇圧させるために要する時間である。加圧時間は、加圧運転を開始してから加圧運転を自動終了するまでの時間である。
【００３９】
続くＳ１６では、制御部１２は、Ｓ１４で決定された設定に従って加圧運転を開始する。具体的には、Ｓ１６では、制御部１２は、空気供給装置１６を動作させるとともに、ダンパ１８の開度を適宜調節する（例えば開度を小さくして部屋７内を密閉空間に近づける）。そして、制御部１２は、タイマのカウントを開始する。これにより、空気供給装置１６から給気管４０を介して部屋７内に供給され、部屋７の内部気圧が上昇を開始する。空気の供給がある程度続くと、部屋７の内部気圧が目標気圧に到達する。その後、制御部１２は、通信Ｉ／Ｆ２２を介して内部気圧の監視を行なうとともに、内部気圧が目標気圧に維持されるように、空気供給装置１６及びダンパ１８の動作を制御する。例えば、制御部１２は、ダンパ１８の開度を若干大きくする、空気供給装置１６からの空気の供給量を減らす等して、内部気圧が目標気圧に維持されるように適宜調節を行う。
【００４０】
その後、制御部１２は、Ｓ１８及びＳ２０の監視を行なう。Ｓ１８では、制御部１２は、室内リモコン５０に終了指示が入力されることを監視する。加圧運転が実行されている間（即ち、Ｓ１６で加圧運転が開始された後、Ｓ１４で決定された加圧時間が経過する前）に、部屋７内に存在する利用者Ｕは、室内リモコン５０の操作部５４を操作して、加圧運転を終了するための終了指示を入力することができる。その場合、制御部１２は、通信Ｉ／Ｆ２２を介して、室内リモコン５０に終了指示が入力されたことを検出し、Ｓ１８でＹＥＳと判断してＳ２２に進む。一方、Ｓ２０では、加圧時間が経過することを監視する。Ｓ１６で加圧運転が開始された後、終了指示が入力されることなく、Ｓ１４で決定された加圧時間が経過した場合、制御部１２は、Ｓ２０でＹＥＳと判断してＳ２２に進む。
【００４１】
Ｓ２２では、制御部１２は、加圧運転を終了する。具体的には、Ｓ２２では、制御部１２は、空気供給装置１６を停止させるとともに、ダンパ１８の開度を適宜調節する（例えば開度を大きくして部屋７内の排気を促し、部屋７内を減圧する）。Ｓ２２を終えると、制御部１２は、再びＳ１０の監視に戻る。
【００４２】
制御部１２は、加圧ユニット１０及び室内リモコン５０の電源がオンされている間、上記のＳ１０〜Ｓ２２の処理を繰り返し実行する。
【００４３】
以上、本実施例の加圧装置２の構成及び動作を説明した。上記の通り、本実施例では、制御部１２は、開始指示が入力された（Ｓ１０でＹＥＳ）時点における内部気圧を基準として、設定を決定し（Ｓ１２、Ｓ１４）、決定された設定に従って加圧運転を実行し、部屋７に空気を供給する。そのため、仮に、加圧運転が開始される際において、部屋７の内部気圧と外部気圧とが異なっていた場合であっても、加圧後の部屋７の内部気圧を、部屋７内に存在する利用者Ｕにとって、慢性痛及び気分障害の解消、健康の増進等の有利な作用を適切に発揮させるための気圧に適切に調節することができる。従って、本実施例の加圧装置２によると、部屋７内に存在する利用者Ｕに対して有利な作用を適切に発揮させることができる。
【００４４】
本実施例と請求項の記載の対応関係を説明しておく。部屋７が「閉鎖空間」の一例である。制御部１２が「制御装置」の一例である。室内リモコン５０に開始指示が入力されること（Ｓ１０でＹＥＳの場合）が「開始条件が満たされる場合」の一例である。
【００４５】
（第２実施例）
第２実施例の加圧装置２について、第１実施例と異なる点を中心に説明する。本実施例の加圧装置２も、その基本的構成は第１実施例と共通する（図１、図２参照）。ただし、本実施例では、図４に示すように、制御部１２が実行する加圧制御処理の内容の一部が第１実施例とは異なる。以下、図４を参照して、本実施例において、制御部１２が実行する加圧制御処理の内容を説明する。
【００４６】
本実施例でも、制御部１２は、加圧ユニット１０及び室内リモコン５０の電源がオンされると、図４の加圧制御処理を開始する。Ｓ３０〜Ｓ３６の各処理は、図３のＳ１０〜Ｓ１６と同様の処理である。
【００４７】
本実施例では、Ｓ３６で加圧運転が開始された後、Ｓ３７において、制御部１２は、部屋７の内部気圧が目標気圧に到達することを監視する。上記の通り、加圧運転が開始されると、部屋７の内部気圧が目標気圧に向けて上昇する。制御部１２は、部屋７の内部気圧が目標気圧に到達する場合に、Ｓ３７でＹＥＳと判断し、Ｓ３８、Ｓ４０、Ｓ４１の監視を実行する。
【００４８】
このＳ３８、Ｓ４０、Ｓ４１の監視のうち、Ｓ３８及びＳ４０の監視は、図３のＳ１８及びＳ２０と同様であるため、詳しい説明を省略する。本実施例では、制御部１２は、Ｓ３８、Ｓ４０、Ｓ４１のいずれかでＹＥＳと判断されるまで、Ｓ３８、Ｓ４０、Ｓ４１の各監視を実行する。
【００４９】
Ｓ４１では、制御部１２は、動作中の空気供給装置１６の消費電力が、所定の閾値電力以下に低下することを監視する。閾値電力の値は、加圧運転開始時の空気供給装置１６の消費電力よりも低い値であり、当該値を下回ると空気供給装置１６による空気の供給量が非常に少なくなる値である。制御部１２は、加圧運転の開始後、内部気圧が目標気圧に到達した後で、Ｓ３８及びＳ４０でＹＥＳと判断される前に、動作中の空気供給装置１６の消費電力が所定の閾値電力以下に低下したことを検出すると、Ｓ４１でＹＥＳと判断し、Ｓ４２に進む。Ｓ４２では、図３のＳ２０と同様に、制御部１２は、加圧運転を終了する。
【００５０】
なお、本実施例の加圧制御処理において、Ｓ３６で加圧運転が開始された後、内部気圧が目標気圧に到達する前に（即ちＳ３７でＹＥＳと判断される前に）室内リモコン５０において終了指示が入力される場合には、制御部１２は、その時点で加圧運転を終了する。その場合も、制御部１２は、加圧運転の終了後に、Ｓ３０の監視に戻る。
【００５１】
上記の通り、本実施例では、制御部１２は、加圧運転の開始後、動作中の空気供給装置１６の消費電力が、所定の閾値電力以下に低下する場合（Ｓ４１でＹＥＳ）、加圧運転を停止させる（Ｓ４２）。本実施例の加圧装置２では、加圧運転の開始後、内部気圧が目標気圧に到達した後で、外部気圧が変動する等して内部気圧と外部気圧とが等しくなる場合がある。このような状況が生じた場合、空気供給装置１６による部屋７への空気の供給を継続しなくても、内部気圧を目標気圧に維持することができる。そして、本実施例では、空気供給装置１６は電力を消費して動作するため、内部気圧と外部気圧とが等しくなると、内部気圧と外部気圧とが異なっている場合に比べて消費電力の値が低下する。本実施例によると、閾値電力を適切な値に設定しておくことにより、制御部１２は、外部気圧センサ２０を用いて外部気圧を検出しなくても、内部気圧と外部気圧とが等しくなったことを適切に判断し、無駄な加圧運転が行われることを抑制することができる。即ち、本実施例では、加圧装置２の外部気圧センサ２０を省略してもよい。
【００５２】
（第２実施例の変形例）
図４のＳ４１において、制御部１２は、空気供給装置１６の消費電力が閾値電力以下に低下することを監視することに代えて、内部気圧センサ５６が検出する内部気圧と、外部気圧センサ２０が検出する外部気圧が等しくなることを監視してもよい。制御部１２は、内部気圧と外部気圧が等しくなったことを検出する場合に、Ｓ４１でＹＥＳと判断してＳ４２に進んでもよい。この変形例でも、制御部１２は、無駄な加圧運転が行われることを適切に抑制することができる。
【００５３】
（第３実施例）
第３実施例の加圧装置２について、第１及び第２実施例と異なる点を中心に説明する。本実施例の加圧装置２も、その基本的構成は第１及び第２実施例と共通する（図１、図２参照）。本実施例では、制御部１２は、第２実施例の加圧制御処理（図４参照）とほぼ同様の加圧制御処理を実行するが、図５に示すように、加圧運転の開始トリガが第２実施例とは異なる。以下、図５を参照して、本実施例において、制御部１２が実行する加圧制御処理の内容を説明する。
【００５４】
本実施例では、加圧制御処理の開始後のＳ５０において、制御部１２は、室内リモコン５０に開始指示が入力されることを監視すること（図４のＳ３０参照）に代えて、単位時間当たりの内部気圧の減少量が閾値量以上になることを監視する点が第２実施例とは異なる。ここで、閾値量の値は、単位時間当たりの内部気圧の減少量が当該値を上回ると、内部気圧が急激に低下していると判断され得る値である。制御部１２は、内部気圧の変化を継続監視し、単位時間当たりの内部気圧の減少量が閾値量以上である場合に、Ｓ５０でＹＥＳと判断してＳ５２に進む。Ｓ５２〜Ｓ６５の各処理は、図４のＳ３２〜Ｓ４２と同様の処理であるため、詳しい説明を省略する。
【００５５】
利用者Ｕが慢性痛や気分障害を患っている場合、利用者Ｕの周囲の空間の気圧が所定気圧以下まで低下すると、心身に不利な影響が及ぶ可能性が高くなる。特に、気圧の急激な低下は、そのような利用者Ｕの心身に不利な影響を及ぼし易い。本実施例では、制御部１２は、加圧運転が行われる前において、単位時間当たりの内部気圧の減少量が閾値量以上である場合（Ｓ５０でＹＥＳ）に、加圧運転を開始させることができる（Ｓ５６）。閾値量を適切な値に設定しておくことにより、部屋７内に存在する利用者Ｕの心身に不利な影響が及び始める前に加圧運転を開始させ得る。
【００５６】
（第３実施例の変形例１）
上記の第３実施例において、単位時間当たりの内部気圧の減少量のことを「内部気圧の減少率」と呼んでもよい。この場合、Ｓ５０において、制御部１２は、内部気圧の減少率が所定の閾値減少率以上になることを監視してもよい。
【００５７】
（第３実施例の変形例２）
上記の第３実施例において、Ｓ５０でＹＥＳと判断される場合に、制御部１２は、Ｓ５２に進む前に、室内リモコン５０や、利用者Ｕが利用可能な外部の端末機器（例えば利用者Ｕが所持するスマートフォン等）に、通信Ｉ／Ｆ２２を介して報知信号を送信してもよい。本変形例では、通信Ｉ／Ｆ２２は、有線通信Ｉ／Ｆと無線通信Ｉ／Ｆを含む。報知信号を受信した室内リモコン５０や端末機器は、所定の報知動作を実行してもよい。利用者Ｕは、報知動作が実行される室内リモコン５０又は端末機器に開始指示を入力してもよい。その場合、端末機器は、加圧ユニット１０に開始指示を送信してもよい。そして、制御部１２は、端末機器から通信Ｉ／Ｆ２２を介して開始指示が受信される場合に、Ｓ５２の処理に進むようにしてもよい。
【００５８】
（第３実施例の変形例３）
上記の第３実施例において、Ｓ５７でＹＥＳと判断された後、制御部１２は、Ｓ５８及びＳ６０の監視を行ない、Ｓ６１の監視を行なわないようにしてもよい。即ち、Ｓ６１の監視を省略してもよい。
【００５９】
（第３実施例の変形例４）
上記の第３実施例においては、加圧運転が開始される前においては、内部気圧は外部気圧よりもやや低い場合が多い。制御部１２は、外部気圧を監視しておき、単位時間当たりの外部気圧の減少量に基づいて、単位時間当たりの内部気圧の減少量を推定するようにしてもよい。そのため、Ｓ５０において、制御部１２は、単位時間当たりの外部気圧の減少量に基づいて推定される単位時間当たりの内部気圧の減少量が閾値量以上になることを監視してもよい。
【００６０】
（第４実施例）
第４実施例の加圧装置２について、第１実施例と異なる点を中心に説明する。図１、図２に示すように、第４実施例の加圧装置２は、部屋７の中にバイタルセンサ８０を備えている。バイタルセンサ８０は、部屋７内に存在する利用者Ｕの体調に関係する数値（例えば、心拍数、体温、発汗量、自律神経バランス値等）を測定する装置である。バイタルセンサ８０も、加圧ユニット１０の通信Ｉ／Ｆ２２と有線接続されており、加圧ユニット１０との間で有線通信を実行することができる。変形例では、バイタルセンサ８０は、加圧ユニット１０との間で無線通信を実行可能であってもよい。本実施例では、制御部１２は、バイタルセンサ８０によって測定される数値（即ち、利用者Ｕの体調に関係する数値）を常時監視している。
【００６１】
本実施例では、加圧装置２がバイタルセンサ８０を備えるため、制御部１２が実行する加圧制御処理の内容も第１実施例とは異なる。以下、図６を参照して、本実施例において、制御部１２が実行する加圧制御処理の内容を説明する。
【００６２】
本実施例では、加圧制御処理が開始されると、Ｓ７０において、制御部１２は、現時点の部屋７内の利用者Ｕの体調が、加圧運転を開始するための所定の開始条件を満たすことを監視する。具体的には、制御部１２は、バイタルセンサ８０から取得される利用者Ｕの体調に関係する数値が、所定の開始条件を満たす数値であるか否かを判断する。開始条件は利用者Ｕ毎に任意に定められていてもよい。例えば、開始条件は、心拍数、体温、発汗量のいずれか一つが所定の閾値範囲外の数値であること、自律神経バランス値が、交感神経が副交感神経を上回る状態（即ちストレスが過大である状態）を示すこと等であってもよい。部屋７内に利用者Ｕが存在し、かつ、バイタルセンサ８０から取得される利用者Ｕの体調に関係する数値が、所定の開始条件を満たす数値である場合、制御部１２は、Ｓ７０でＹＥＳと判断し、Ｓ７２に進む。
【００６３】
Ｓ７２では、制御部１２は、内部気圧センサ５６が検出するこの時点の内部気圧の値を取得する。
【００６４】
続くＳ７４では、制御部１２は、バイタルセンサ８０から取得される利用者Ｕの体調に関係する数値と、Ｓ７２で取得された内部気圧と、を基準として、加圧運転を実行する際の設定（具体的には目標気圧、昇圧速度、加圧時間）を決定する。
【００６５】
続くＳ７６では、制御部１２は、Ｓ７４で決定された設定に従って加圧運転を開始する。
【００６６】
加圧運転の開始後、Ｓ７７において、制御部１２は、部屋７内の利用者Ｕの体調が、加圧運転を終了するための所定の終了条件を満たすことを監視する。終了条件も、利用者Ｕ毎に任意に定められていてもよい。例えば、終了条件は、心拍数、体温、発汗量のいずれか一つが所定の閾値範囲内の数値であること、自律神経バランス値が、副交感神経が交感神経を上回る状態（即ちストレスが少ない状態）を示すこと等であってもよい。バイタルセンサ８０から取得される利用者Ｕの体調に関係する数値が、所定の終了条件を満たす数値である場合、制御部１２は、Ｓ７７でＹＥＳと判断し、Ｓ８２に進む。
【００６７】
Ｓ８２では、制御部１２は、加圧運転を終了する。Ｓ８２を終えると、制御部１２は、再びＳ７０の監視に戻る。
【００６８】
上記の通り、本実施例では、制御部１２は、部屋７内に存在する利用者Ｕの体調に関係する数値に応じて、加圧運転の開始タイミング及び終了タイミングを決定することができる（Ｓ７０、Ｓ７７）。また、制御部１２は、利用者Ｕの体調に関係する数値と、Ｓ１２で取得された内部気圧（即ち基準気圧）と、に応じて、加圧運転を実行する際の設定を決定することができる（Ｓ７４）。従って、本実施例の加圧装置２によると、部屋７内に存在する利用者Ｕの体調に応じた適切な加圧運転を実行し得る。本実施例のバイタルセンサ８０が「体調測定装置」の一例である。
【００６９】
（第４実施例の変形例１）
Ｓ７０において、制御部１２は、現時点の部屋７内の利用者Ｕの体調が、加圧運転を開始するための所定の開始条件を満たすことを監視することに代えて、第１及び第２実施例と同様に、室内リモコン５０に開始指示が入力されることを監視してもよい（図３のＳ１０、図４のＳ３０参照）。この場合も、Ｓ７４において、制御部１２は、制御部１２は、バイタルセンサ８０から取得される利用者Ｕの体調に関係する数値と、Ｓ７２で取得された内部気圧と、を基準として、加圧運転を実行する際の設定を決定してもよい。
【００７０】
（第４実施例の変形例２）
また、Ｓ７０において、制御部１２は、現時点の部屋７内の利用者Ｕの体調が、加圧運転を開始するための所定の開始条件を満たすことを監視することに代えて、第３実施例と同様に、単位時間当たりの内部気圧の減少量が閾値量以上になることを監視してもよい（図５のＳ５０参照）。この場合も、Ｓ７４において、制御部１２は、制御部１２は、バイタルセンサ８０から取得される利用者Ｕの体調に関係する数値と、Ｓ７２で取得された内部気圧と、を基準として、加圧運転を実行する際の設定を決定してもよい。
【００７１】
（第４実施例の変形例３）
加圧運転の開始後、Ｓ７７の処理に代えて、図３のＳ１８及びＳ２０と同様の監視を行なってもよい。また、図４のＳ３７、Ｓ３８、Ｓ４０、Ｓ４１と同様の監視を行なってもよい。
【００７２】
（第５実施例）
図７を参照して、第５実施例の加圧装置２０２について、第１実施例と異なる点を中心に説明する。図７に示す本実施例の加圧装置２０２は、その基本的構成は第１実施例の加圧装置２（図１参照）と共通するが、排気管３０が２４時間換気システム１００に接続されていない点が第１実施例とは異なる。
【００７３】
即ち、本実施例では、２４時間換気システム１００は、排気管１１０、１１０ａ、１１０ｂを介して、部屋５、６内の空気を常時建物４の外に排気する。２４時間換気システム１００は、部屋７の排気は行わない。排気管１１０は、２４時間換気システム１００を通過し、端部が建物４の外側に配置される。排気管１１０ａは、一端が部屋６と連通し、他端が排気管１１０に連通するように配置される。排気管１１０ｂは、一端が部屋５と連通し、他端が２４時間換気システム１００内で排気管１１０に連通するように配置される。
【００７４】
一方、本実施例では、排気管３０は、一端が部屋７と連通し、他端が加圧ユニット１０を通過して建物４の外側に配置される。本実施例では排気管３０は２４時間換気システム１００を通過しない。
【００７５】
本実施例では、加圧装置２０２による加圧対象の部屋７の中は、２４時間換気システム１００によって排気されていない。本実施例では、部屋７の中は、加圧ユニット１０によって常時僅かに加圧されていてもよい。本実施例の加圧装置２０２においても、加圧ユニット１０の制御部１２は、図３〜図６で説明した処理と同様の加圧制御処理を実行することができる。即ち、本実施例も、加圧運転が開始される際において、部屋７の内部気圧と外部気圧とが異なっていた場合であっても、加圧後の部屋７の内部気圧を、部屋７内に存在する利用者Ｕにとって、慢性痛及び気分障害の解消、健康の増進等の有利な作用を適切に発揮させるための気圧に適切に調節することができる。従って、本実施例の加圧装置２０２による場合も、部屋７内に存在する利用者Ｕに対して有利な作用を適切に発揮させることができる。
【００７６】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００７７】
（変形例１）加圧装置２、２０２が加圧する閉鎖空間は、建物４の部屋７に限られない。特定の加圧用カプセルルームや、飛行機、車等の移動体であってもよい。
【００７８】
（変形例２）空気供給装置１６は、ファンに限られず、電動空気ポンプであってもよい。また空気供給装置１６は電力を消費して空気を供給する装置に限られず電力を動力源としない任意の空気供給装置を含んでもよい。
【００７９】
（変形例３）図３〜図６の加圧制御処理は、室内リモコン５０の制御部５８によって実行されてもよい。図３〜図６の加圧制御処理は、加圧ユニット１０の制御部１２と室内リモコン５０の制御部５８が協働することによって実行されてもよい。
【００８０】
本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００８１】
２：加圧装置
４：建物
５、６、７：部屋
１０：加圧ユニット
１２：制御部
１４：メモリ
１６：空気供給装置
１８：ダンパ
２０：外部気圧センサ
２２：通信Ｉ／Ｆ
２４：熱交換器
３０、３０ａ、３０ｂ：排気管
４０：給気管
５０：室内リモコン
５２：表示部
５４：操作部
５６：内部気圧センサ
５８：制御部
６０：メモリ
６２：通信Ｉ／Ｆ
８０：バイタルセンサ
１１０、１１０ａ、１１０ｂ：排気管
２０２：加圧装置
Ｕ：利用者
【図１】
2020103438.tif 000003
【図２】
2020103438.tif 000004
【図３】
2020103438.tif 000005
【図４】
2020103438.tif 000006
【図５】
2020103438.tif 000007
【図６】
2020103438.tif 000008
【図７】
2020103438.tif 000009